(57)【要約】【課題】  小型で接続用伝送線路の長さが短い。【解決手段】  本体８は、ノート型パーソナルコンピュータ４が備えるＵＳＢ端子に接続されるＵＳＢプラグ１０を有している。本体８にリング状ループアンテナ素子１２が取り付けられている。本体８に設けられた同軸ケーブル２８が、アンテナ素子１２に接続され、パーソナルコンピュータ４に接続されている。【選択図】        図１
2010068311.tif 000002
【特許請求の範囲】
【請求項１】
携帯型受信手段が備えるＵＳＢ端子に接続されるＵＳＢプラグを有する本体と、
この本体に取り付けられたアンテナ素子と、
前記本体に設けられており、前記アンテナに接続され、前記携帯型受信手段に伝送線路を介して接続される伝送線路接続部とを、有するモバイルアンテナ。
【請求項２】
請求項１記載のモバイルアンテナにおいて、
前記伝送線路は同軸ケーブルであって、前記伝送線路接続部は、前記受信手段に接続する同軸ケーブルの中心導体が接続される中心導体接続部と、前記同軸ケーブルの外部導体が接続される外部導体接続部とを、有し、
前記外部導体接続部は、前記ＵＳＢプラグ、前記ＵＳＢ端子を介して前記携帯型受信手段のシャーシに接続されているモバイルアンテナ。
【請求項３】
請求項２記載のモバイルアンテナにおいて、
前記アンテナ素子は、２つの給電端子間に接続された電路であって、
第1の状態に切り換えられたとき、前記２つの給電端子を前記中心導体接続部と、前記外部導体接続部とに接続し、第２の状態に切り換えられたとき、前記２つの端子を接続して、前記中心導体接続部に接続するか、前記２つの給電端子の一方を前記中心導体接続部に接続する切換手段が、設けられているモバイルアンテナ。
【請求項４】
請求項３記載のモバイルアンテナにおいて、前記携帯型受信手段が、パーソナルコンピュータに内蔵されているテレビジョン受信用チューナであるモバイルアンテナ。
【発明の詳細な説明】
【技術分野】
【０００１】
本発明は、携帯型の受信手段と共に使用するモバイルアンテナに関する。
【背景技術】
【０００２】
携帯型の受信手段としては、例えばノート型パーソナルコンピュータに内蔵されているテレビジョン放送受信用チューナがある。このようなテレビジョン放送受信用チューナでテレビジョン放送を受信する場合、例えば室内アンテナが使用されることがある。このような室内アンテナの一例が非特許文献１に開示されている。
【０００３】
この室内アンテナは、本体にＦＭ及び１乃至１２チャンネル（ＶＨＦ）受信用のロッドアンテナと、１３乃至６２チャンネル（ＵＨＦ）受信用のアンテナとを備え、本体内にブースタを有し、このブースタは、パーソナルコンピュータのＵＳＢ端子から電源の供給を受けて動作し、ブースタの出力は伝送線路によってチューナに出力される。
【０００４】
【非特許文献１】日本アンテナ株式会社発行カタログ  ＴＶチューナ付きパソコン対応  パソコン用テレビアンテナ  ＡＲＢ−２５０  平成１９年６月
【発明の開示】
【発明が解決しようとする課題】
【０００５】
上記のような室内アンテナは、小型化されているといっても、室内アンテナであるので、或る程度の大きさがあり、ノート型パーソナルコンピュータとは別個に形成されており、両者を共に持ち運ぶことは面倒であった。また、両者の接続は、伝送線路によって行われているが、両者が別体であるので、伝送線路も或る程度の長さが必要であった。
【０００６】
本発明は、持ち運びが容易で、接続用伝送線路の長さを短くすることができるモバイルアンテナを提供することを目的とする。
【課題を解決するための手段】
【０００７】
本発明の一態様のモバイルアンテナは、本体を有している。本体は、携帯型受信手段が備えるＵＳＢ端子に接続されるＵＳＢプラグを有している。携帯型受信手段としては、例えば、テレビジョン受信用チューナを内蔵したパーソナルコンピュータや、パーソナルコンピュータに外付けされるテレビ・ビデオキャプチャボックス等がある。或いは、ＧＰＳ受信機を内蔵したパーソナルコンピュータや、パーソナルコンピュータに外付けされるＧＰＳ受信機もある。パーソナルコンピュータとしては、ノート型を使用することもできる。本体にアンテナ素子が取り付けられている。アンテナ素子としては種々のものが使用され、例えばワイヤー型のアンテナ、具体的にはループアンテナ、ロッドアンテナ等を使用することができる。前記本体に伝送線路接続部が設けられている。伝送線路接続部は、前記アンテナに接続され、前記携帯型受信手段に伝送線路を介して接続される。
【０００８】
このように構成したモバイルアンテナでは、アンテナが設けられている本体部が、携帯型受信手段のＵＳＢ端子に、本体部が備えるＵＳＢプラグを介して接続されている。従って、アンテナも本体部を介して携帯型受信手段に指示されており、両者の距離が非常に接近している。従って、両者を別個に持ち運ぶ必要がなく、持ち運びが容易であるし、アンテナと携帯型受信手段を接続する伝送線路の長さも、両者が非常に接近しているので、短くすることができる。
【０００９】
前記伝送線路は同軸ケーブルにすることができる。この場合、前記伝送線路接続部は、前記携帯型受信手段に接続する同軸ケーブルの中心導体が接続される中心導体接続部と、前記同軸ケーブルの外部導体が接続される外部導体接続部とを、有するものである。さらに、前記外部導体接続部は、前記ＵＳＢプラグ、前記ＵＳＢ端子を介して前記携帯型受信手段のシャーシに接続されている。
【００１０】
このように構成すると、携帯型受信手段のシャーシが地板として機能する。その結果、アンテナ素子の長さは、同じ受信性能を得る場合に、受信手段のシャーシに一方のアンテナ端子が接続されていない場合よりも短くすることができ、アンテナ素子を短くすることができる。従って、更に携帯が容易になるし、携帯型受信手段から本体を取り外して、持ち運ぶ場合でも、その持ち運びが容易になる。
【００１１】
更に、前記アンテナ素子は、２つの給電端子間に接続された電路、例えば導電性のワイヤーとすることができる。この場合、第１及び第２の状態に切り換え可能な切換手段が設けられ、切換手段が第1の状態に切り換えられたとき、前記２つの給電端子を前記中心導体接続部と、前記外部導体接続部とに接続する。切換手段が、第２の状態に切り換えられたとき、前記２つの端子を接続して、前記中心導体接続部に接続するか、前記２つの給電端子の一方を、前記中心導体接続部に接続する。
【００１２】
このように構成すると、第１の状態では、アンテナ素子は、ループアンテナとして機能するので、電路の長さを適切に選択すれば、水平面で８の字指向性を示し、水平偏波の電波を適切に受信することができる。第２の状態では、アンテナ素子は、ホイップアンテナとなり、かつシャーシを地板とすることにより、鏡像の原理によってダイポールアンテナとして機能し、垂直面で８の字指向性を示し、垂直偏波の電波を適切に受信することができる。即ち、切換手段を適切に切り換えることによって、水平偏波の電波も、垂直偏波の電波も良好に受信することができる。
【００１３】
更に、上述したように前記携帯型受信手段が、ノート型パーソナルコンピュータに内蔵されているテレビジョン受信用チューナとすることもできる。このように構成すると、様々な位置でテレビジョン放送を良好に受信することができる。
【発明の効果】
【００１４】
以上のように、本発明によるモバイルアンテナは、携帯型受信手段のＵＳＢ端子に接続することができるので、持ち運びが容易で、両者が接近しているので、接続用伝送線路の長さを短くすることができる。
【発明を実施するための最良の形態】
【００１５】
本発明の１実施形態のモバイルアンテナ２は、図１に示すように、携帯型受信手段、例えばテレビジョン放送受信用チューナを内蔵しているノート型パーソナルコンピュータ４と共に、使用されている。このパーソナルコンピュータ４は、テレビジョン放送受信用チューナにアンテナを接続するためのアンテナ端子６を有している。また、パーソナルコンピュータ４は、ＵＳＢ端子（図示せず）も有している。
【００１６】
このＵＳＢ端子に、図２に示すように、モバイルアンテナ２の本体８に設けたＵＳＢプラグ１０が接続されている。この本体８は、一例として直方体状に形成され、その一側面に上述したＵＳＢプラグ１０が外側に突出するように設けられている。ＵＳＢプラグ１０が突出している一側面と反対側の面に、アンテナ素子１２が設けられている。アンテナ素子１２は、例えば、電路によって構成され、具体的には円弧状のループアンテナである。このアンテナ素子１２は、本体８に対して支持体１４を介して取り付けられており、本体８の上記反対側の面に対して所定の角度をなすように固定的に設けることもできるし、上記反対側の面に対してなす角度を自由に変更可能に設けることもできる。本体８に設けたＵＳＢプラグ１０がパーソナルコンピュータ４のＵＳＢ端子に接続されることによって、アンテナ素子１２も、パーソナルコンピュータ４に支持される。
【００１７】
アンテナ素子１２は、図３に示すように、その両端に給電端子１６ａ、１６ｂを有している。これら給電端子１６ａ、１６ｂは、切換手段、例えば連動切換スイッチ１８に接続されている。連動切換スイッチ１８は、３つの切換スイッチ２０、２２、２４を有している。
【００１８】
切換スイッチ２０は、接点２０ａ、２０ｂ、２０ｃを有し、接点２０ａ、２０ｂを接続するか、接点２０ｂ、２０ｃを接続する接触子２０ｄを有している。切換スイッチ２０は、接点２０ｅ、２０ｆ、２０ｇを有し、接点２０ａ、２０ｂが接続されているとき、接点２０ｅ、２０ｆを接続し、接点２０ｂ、２０ｃが接続されているとき、接点２０ｆ、２０ｇを接続する接触子２０ｈも有している。
【００１９】
接点２０ｂには給電端子１６ａが接続され、接点２０ｆには給電端子１６ｂが接続され、接点２０ｃ、２０ｇは、バラン２６の入力側に接続されている。接点２０ａ、２０ｅは空き接点とされている。
【００２０】
切換スイッチ２２は、接点２２ａ、２２ｂ、２２ｃ、２２ｅ、２２ｆ、２２ｇを有し、接点２０ａ、２０ｂが接触子２０ｄによって接続され、接点２０ｅ、２０ｆが接触子２０ｈによって接続されているとき、接点２２ａ、２２ｂを接触子２２ｄが接続し、かつ接点２２ｅ、２２ｆを接触子２２ｈが接続する。同様に、接点２０ｂ、２０ｃが接触子２０ｄによって接続され、接点２０ｆ、２０ｇが接触子２０ｈによって接続されているとき、接点２２ｂ、２２ｃを接触子２２ｄが接続し、かつ接点２２ｆ、２２ｇを接触子２２ｈが接続する。
【００２１】
接点２２ｂ、２２ｆにバラン２６の出力側が接続され、接点２２ｃは、伝送線路、例えば同軸ケーブル２８の中心導体２８ａの先端に接続されている。また、接点２２ｇは、同軸ケーブル２８の外部導体２８ｂの先端に接続されている。接点２２ａ、２２ｅは空き接点とされている。
【００２２】
接点２２ｇと外部導体２８ｂとは、ＵＳＢプラグ１０のグランド端子１０ａに接続されており、このグランド端子１０ａは、ＵＳＢ端子３０のグランド端子３０ａを介してパーソナルコンピュータ４のシャーシ４ａに接続されている。
【００２３】
切換スイッチ２４は、接点２４ａ、２４ｂ、２４ｃ、２４ｅ、２４ｆ、２４ｇを有し、接触子２４ｄ、２４ｈを有している。接点２０ａ、２０ｂが接触子２０ｄによって接続され、接点２０ｅ、２０ｆが接触子２０ｈによって接続され、接点２２ａ、２２ｂが接触子２２ｄによって接続され、接点２２ｅ、２２ｆが接触子２２ｈによって接続されているとき、接点２４ａ、２４ｂが接触子２４ｄによって接続され、かつ接点２４ｅ、２４ｆが接触子２４ｈによって接続される。同様に、接点２０ｂ、２０ｃが接触子２０ｄによって接続され、接点２０ｆ、２０ｇが接触子２０ｈによって接続され、接点２２ｂ、２２ｃが接触子２２ｄによって接続され、接点２２ｆ、２２ｇが接触子２２ｈによって接続されているとき、接点２４ｂ、２４ｃを接触子２４ｄが接続し、かつ接点２４ｆ、２４ｇを接触子２４ｈが接続する。
【００２４】
切換スイッチ２４では、接点２４ａ、２４ｅが互いに接続され、接点２４ａが同軸ケーブル２８の中心導体２８ａに接続されている。接点２４ｂは給電端子１６ａに接続され、接点２４ｆは給電端子１６ｂに接続されている。接点２４ｃ、２４ｇは空き接点とされている。
【００２５】
このように構成されたモバイルアンテナ２では、切換スイッチ２０の接触子２０ｄが接点２０ｂ、２０ｃを接続し、接触子２０ｈが接点２０ｆ、２０ｇを接続し、接触子２２ｄが接点２２ｂ、２２ｃを接続し、接触子２２ｈが接点２２ｆ、２２ｇを接続し、接触子２４ｄが接点２４ｂ、２４ｃを接続し、接触子２４ｈが接点２４ｆ、２４ｇを接続するように切り換えると、即ち、第１の状態に切り換えると、図４（ａ）に示すようにアンテナ素子１２の給電端子１６ａ、１６ｂがバラン２６の入力側に接続され、バラン２６の出力側が同軸ケーブル２８の中心導体２８ａと外部導体２８ｂとに接続される。従って、アンテナ素子１２は通常のループアンテナとして機能し、水平偏波を良好に受信する。このとき、バラン２６の一方の出力側がＵＳＢプラグ１０のグランド端子１０ａ、ＵＳＢ端子３０のグランド端子３０ａを介してパーソナルコンピュータ４のシャーシ４ａに接続されている。
【００２６】
切換スイッチ２０の接触子２０ｄが接点２０ａ、２０ｂを接続し、接触子２０ｈが接点２０ｅ、２０ｆを接続し、接触子２２ｄが接点２２ａ、２２ｂを接続し、接触子２２ｈが接点２２ｅ、２２ｆを接続し、接触子２４ｄが接点２４ａ、２４ｂを接続し、接触子２４ｈが接点２４ｅ、２４ｆを接続するように切り換えると、即ち、第２の状態に切り換えると、図４（ｂ）に示すように、アンテナ素子１２の給電端子１６ａ、１６ｂが接続され、その給電端子１６ａは、同軸ケーブル２８の中心導体２８ａに接続される。この状態では、アンテナ素子１２がリング状のホイップアンテナとして機能する。シャーシ４ａに同軸ケーブル２８の外部導体２８ｂが接続されているので、鏡像の原理によって垂直ダイポールと同様に動作する。従って、垂直偏波の電波を良好に受信することができる。
【００２７】
このように連動切換スイッチ１８の切換操作によって、垂直偏波の電波でも水平偏波の電波でも良好に受信することができる。第１及び第２の状態いずれに切り換えられた場合でも、中心導体２８ａ、外部導体２８ｂの先端が、導電線路接続部となる。
【００２８】
なお、連動切換スイッチ１８は、図２に示すように本体８の一側面に設けられており、ユーザーがいずれの偏波を受信するかによって操作することができる。また、同軸ケーブル２８の先端には、図１に示すようにコネクタ３２が接続されており、このコネクタ３２がアンテナ端子６に接続される。モバイルアンテナ２は、本体８のＵＳＢプラグ１０によってパーソナルコンピュータ４のＵＳＢ端子１０に取り付けられているので、モバイルアンテナ２とパーソナルコンピュータ４との距離が比較的に近く、同軸ケーブル２８の長さは、モバイルアンテナ８がパーソナルコンピュータ４とは別に設けられている場合と比較して格段に短くなる。
【００２９】
上記の実施形態では、テレビジョン受信用チューナは、ノート型パーソナルコンピュータ４に内蔵したが、外付けのテレビジョン受信用チューナであって、ＵＳＢ端子を備えたものに使用することもできる。また、テレビジョン受信用チューナに限らず、ＧＰＳ受信用チューナを内蔵したパーソナルコンピュータや外付けのＧＰＳ受信機であってＵＳＢ端子を備えるものも使用することができる。また、上記の実施形態では、本体８内から直接に同軸ケーブル２８を外部に引き出したが、同軸ケーブル２８の先端の中心導体と外部導体とを本体８に設けたアンテナ端子に接続し、この本体８のアンテナ端子とパーソナルコンピュータ４のアンテナ端子６とを、別の同軸ケーブルによって接続することも可能である。本体８は直方体状のものを示したが、これに限ったものではなく、例えば円板状のものを使用することもできる。
【図面の簡単な説明】
【００３０】
【図１】本発明の一実施形態のモバイルアンテナを取り付けたノート型パーソナルコンピュータの斜視図である。
【図２】図１のモバイルアンテナの側面図である。
【図３】図１のモバイルアンテナの回路図である。
【図４】図１のモバイルアンテナを水平偏波受信用と垂直偏波受信用とに切り換えたときの投下回路図である。
【符号の説明】
【００３１】
２  モバイルアンテナ
４  パーソナルコンピュータ（携帯型受信手段）
８  本体部
１２  アンテナ素子
１８  連動切換スイッチ（切換手段）
【図１】
2010068311.tif 000003
【図２】
2010068311.tif 000004
【図３】
2010068311.tif 000005
【図４】
2010068311.tif 000006